(57)【特許請求の範囲】
【請求項１】
新規通信処理装置の増設および／または回線増設を含むシステム変更に伴って変更作成された局データを既存通信処理装置に送信し、この局データを受信した既存通信処理装置において稼働中局データを更新する局データ自動試験システムであって、
前記受信した局データを前記稼働中局データと比較し、両者の差分データを抽出する差分抽出手段と、
この抽出した差分データに基づき前記局データの正常性を試験するための試験シナリオを作成する試験シナリオ作成手段と、
この作成された試験シナリオを起動し、この試験シナリオおよび前記局データに基づき試験を実施する試験実施手段と、
この試験実施手段で実施された試験結果が良好である場合、前記局データに基づき前記稼働中局データを更新する更新手段と
を有することを特徴とする局データ自動試験システム。
【発明の詳細な説明】
【０００１】
【発明の属する技術分野】
本発明は、複数の通信処理装置が接続されたネットワークにおいて新規通信処理装置の増設および／または回線増設を含むシステム変更に伴って変更作成された局データに基づき既存通信処理装置において現在使用している稼働中局データを更新する局データ自動試験システムに関する。
【０００２】
【従来の技術】
ネットワークにおいて通信処理装置の新規設置や回線増設等を含むシステム変更が生じた場合、ネットワーク上の既存通信処理装置において現在作動している稼働中局データを新規に設置された通信処理装置と正常に通信させるために更新する必要がある。
【０００３】
図２は、このような既存通信処理装置における稼働中局データを更新する従来の局データ変更システムの構成を示すブロック図である。同図に示す従来の局データ変更システムでは、ネットワークに新規に通信処理装置が設置された場合には、まずネットワークの管理者が新規通信処理装置が既存通信処理装置と通信するための局データを作成し、この局データを投入システム１１から信号線４１を介して既存通信処理装置である通信処理装置２０の送受信機２３に送信する。送受信機２３は、この局データを受信すると、一旦テキスト格納部３１に格納し、このテキスト格納部３１から更に変換器２４に供給する。
【０００４】
変換器２４は、この局データをテキスト形式からバイナリ形式に変換して、記憶媒体３２に格納する。なお、記憶媒体３２は、このように新規に通信処理装置が設置された場合等に追加、変更された局データを仮に格納する格納媒体である。また、通信処理装置２０には記憶媒体３２に加えて、記憶媒体３３が設けられているが、この記憶媒体３３には通信処理装置２０において現在動作している稼働中局データが格納されているものである。前記追加、変更された局データが記憶媒体３３に格納されると、データ変更内容が不正の場合、ネットワーク上で既設の通信処理装置への接続の影響が生じるため、通信処理装置の新規設置に伴い追加変更された局データは記憶媒体３２に格納するようになっている。
【０００５】
上述したように、投入システム１１からの局データが記憶媒体３２に格納されると、変換器２４は投入システム１１に対して上記処理が正常に行われたことを通知するため、この旨の通知が変換器２４から送受信機２３を介し、更に信号線４６を介して投入システム１１に返送される。
【０００６】
ネットワーク管理者は、変換器２４からの通知により変換器２４とから記憶媒体３２への格納が良好に行われたことを確認すると、追加変更された局データの正常性を確認するため、試験内容を決定し、この試験のための試験シナリオを作成する。
【０００７】
この試験シナリオは、投入システム１１から信号線４７を介して通信処理装置２０の送受信機２３に送信され、送受信機２３から更に試験処理機能部２５に転送される。試験処理機能部２５は、新規通信処理装置に対し試験シナリオを起動するために、記憶媒体３２に格納された前記局データを取り出し、この局データを基に新規通信処理装置との接続試験を実施する。そして、この接続試験の結果は、試験処理機能部２５から送受信機２３を介し、更に信号線５２を介して投入システム１１に返送され、投入システム１１に試験結果が通知される。
【０００８】
ネットワーク管理者は、投入システム１１に返送された試験結果を確認し、試験結果が良好である場合には、局データの更新を実施する。また、試験結果が異常である場合には、局データの変更処理を最初から実施する。
【０００９】
投入システム１１は、ネットワーク管理者から局データ更新処理の指示を受信すると、この局データ更新処理指示を信号線５３を介して送受信機２３に送信する。送受信機２３は、この局データ更新処理指示を更新処理機能部２６に供給し、この局データ更新処理指示を受信した更新処理機能部２６は、接続試験が正常に終了した記憶媒体３２に格納されている新規通信処理装置を含んで作成された局データを記憶媒体３２から取り出し、この取り出した局データに基づき記憶媒体３３に格納されている稼働中局データの更新を実施する。また、更新処理機能部２６は、更新結果をネットワーク管理者に通知するために、送受信機２３を介し、更に信号線５９を介して投入システム１１にその旨を通知する。なお、更新処理結果が異常の場合には、局データ変更処理を最初から実施する。
【００１０】
【発明が解決しようとする課題】
上述したように、従来の局データ変更システムでは、データ変更内容によりネットワーク管理者が試験項目や内容を決定する作業を実施しているため、試験漏れ、試験誤りの認識不足により誤った局データをシステムに投入する恐れがあり、このためシステムダウンに及ぶことがあるという問題がある。
【００１１】
本発明は、上記に鑑みてなされたもので、その目的とするところは、局データの更新作業を正確かつ効率的に実施し得る局データ自動試験システムを提供することにある。
【００１２】
【課題を解決するための手段】
上記目的を達成するため、請求項１記載の本発明は、新規通信処理装置の増設および／または回線増設を含むシステム変更に伴って変更作成された局データを既存通信処理装置に送信し、この局データを受信した既存通信処理装置において稼働中局データを更新する局データ自動試験システムであって、前記受信した局データを前記稼働中局データと比較し、両者の差分データを抽出する差分抽出手段と、この抽出した差分データに基づき前記局データの正常性を試験するための試験シナリオを作成する試験シナリオ作成手段と、この作成された試験シナリオを起動し、この試験シナリオおよび前記局データに基づき試験を実施する試験実施手段と、この試験実施手段で実施された試験結果が良好である場合、前記局データに基づき前記稼働中局データを更新する更新手段とを有することを要旨とする。
【００１３】
請求項１記載の本発明にあっては、システム変更に伴って変更作成された局データを稼働中局データと比較して両者の差分データを抽出し、この差分データに基づき局データの正常性を試験するための試験シナリオを作成し、この試験シナリオおよび局データに基づき試験を実施し、試験結果が良好である場合、局データに基づき稼働中局データを更新するため、システム変更に伴って変更作成される局データ以外の試験シナリオの作成および局データの更新はすべて自動的に行われ、局データの更新処理を適確かつ効率的に行うことができる。
【００１４】
【発明の実施の形態】
以下、図面を用いて本発明の実施の形態について説明する。図１は、本発明の一実施形態に係る局データ自動試験システムの構成を示すブロック図である。同図に示す実施形態においては、通信処理装置等の新規設置や回線増設等を含むシステム変更に伴って追加変更された局データがネットワーク管理者によって作成されると、この局データが投入システム１１から既存通信処理装置である通信処理装置１０に送信されてくるので、通信処理装置１０において送受信機３７で受信し、テキスト格納部３１に一旦格納する。
【００１５】
テキスト格納部３１に格納された局データは、差分抽出機能部２７を介して変換器２４に供給され、変換器２４においてテキスト形式からバイナリ形式に変換され、記憶媒体３２に格納される。なお、記憶媒体３２および記憶媒体３３は、図２で説明したと同じ機能を有するものである。すなわち、記憶媒体３２は、追加変更された局データを仮に格納する格納媒体である。記憶媒体３３は通信処理装置１０において現在動作している稼働中局データを格納しているものである。追加変更された局データが記憶媒体３３に格納されると、データ変更内容が不正の場合、ネットワーク上で既設の通信処理装置への接続の影響が生じるため、通信処理装置の新規設置に伴い追加変更された局データは記憶媒体３２に格納するようになっている。
【００１６】
なお、通信処理装置１０は、前記テキスト格納部３１に加えて、テキスト格納部３４を有しているが、このテキスト格納部３４は、記憶媒体３３と同様に通信処理装置１０において現在動作している稼働中局データを格納しているものである。
【００１７】
差分抽出機能部２７は、上述した処理と平行して、テキスト格納部３１に格納された局データを受信すると、テキスト格納部３４に格納されている稼働中局データを取り出し、この稼働中局データをテキスト格納部３１からの追加変更用の局データと比較し、両者の差分データを抽出する。この差分データは、差分抽出機能部２７から試験項目抽出機能部２８に供給される。
【００１８】
試験項目抽出機能部２８は、差分抽出機能部２７からの差分データに基づき追加変更用の局データの正常性を確認試験するための試験シナリオを作成し、この試験シナリオを試験処理機能部３５に供給する。
【００１９】
試験処理機能部３５は、試験項目抽出機能部２８から試験シナリオを受け取ると、新規通信処理装置に対し試験シナリオを起動するために、記憶媒体３２から前記局データを取り出し、この局データを基に新規既存通信処理装置との接続試験を実施する。そして、この試験結果を更新処理機能部２９に送信する。
【００２０】
更新処理機能部２９は、試験処理機能部３５から受け取った試験結果が良好の場合には、記憶媒体３３に格納されている稼働中局データに対する更新を実施する。具体的には、更新処理機能部２９は、記憶媒体３２に格納されている新規既存通信処理装置を含んで作成された局データを取り出し、この局データに基づき記憶媒体３３に格納されている稼働中局データへの更新を実施する。更新処理機能部２９は、更新結果を送受信機３７を介して投入システム１１に送信し、ネットワーク管理者に更新結果を通知する。
【００２１】
なお、更新処理機能部２９は、試験処理機能部３５から送信された試験結果が異常の場合にも、その旨を送受信機３７を介して投入システム１１に送信し、ネットワーク管理者に通知する。このように試験結果が異常である場合には、局データ変更処理を最初から実施する。
【００２２】
【発明の効果】
以上説明したように、本発明によれば、システム変更に伴って変更作成された局データを稼働中局データと比較して差分データを抽出し、この差分データに基づき局データの正常性を試験するための試験シナリオを作成し、この試験シナリオおよび局データに基づき試験を実施し、試験結果が良好である場合、局データに基づき稼働中局データを更新するので、局データの変更作成以外の試験シナリオの作成および局データの更新はすべて自動的に行われるため、人が試験項目や内容を含む試験シナリオの作成および更新処理を行う必要がなくなり、人手による作業を大幅に低減して効率化を図り得るとともに、手順ミスや確認ミス等のような人為的作業ミスも低減し、局データの更新処理を適確に行うことができるとともに、システムダウンも防止することができる。
【図面の簡単な説明】
【図１】本発明の一実施形態に係る局データ自動試験システムの構成を示すブロック図である。
【図２】従来の局データ変更システムの構成を示すブロック図である。
【符号の説明】
１０  通信処理装置
１１  投入システム
２７  差分抽出機能部
２８  試験項目抽出機能部
２９  更新処理機能部
３１，３４  テキスト格納部
３２，３３  記憶媒体
【図１】
0003571249.tif 000002
【図２】
0003571249.tif 000003